(57)【要約】      （修正有）【課題】排便洩れを防止して、ストーマ保有者が安心して日常生活を送る事ができるようにする。【解決手段】面板にシリコンスポンジシール（１）を設け、ガードリング（２）を装着することにより、ストーマ先端と排便袋の接触面に隙間を空ける。【選択図】図１
2014069061.tif 000002
【特許請求の範囲】
【請求項１】
スト−マ装具面板の挿入口に脱脂綿シ−ル（１）を設ける事、スト−マ先端と排便袋の接触面に隙間を明ける為のガ−ドリング（２）を取付ける事、よってシ−ル性を高めようとする。構成によりなる排便洩れ防止装具である。
【発明の詳細な説明】
【技術分野】
【０００１】この発明は、スト−マ保有者が使用する一般市販面板とスト−マの隙間から特に硬い便は排便洩れがおきて常に不安で安心安全の生活が送れない為、不安解消の為の排便洩れ防止装具に関する物である。
【背景技術】
【０００２】従来の排便装具の中で面板とスト−マの隙間から排便洩れに対処する物は市場には粘土で隙間を埋める物がありますが確実に洩れますので、スト−マ保有者は日常生活で常に不安を抱えている。
【発明の開示】
【発明が解決しようとする課題】
【０００３】市販面板は従来、スト−マの大きさに合わせて面板に穴加工された物か自分でスト−マに合わせて穴をハサミで切り取るものが有りますがどうしても隙間ができますそれを完全に補正する物は無くその隙間を塞ぐ事と排便圧が原因で排便洩れがおきるスト−マと排便袋の構造に欠点をなくす為になされたものである。
【課題を解決するための手段】
【０００４】脱脂綿シ−ル（１）を市販面板に設けて、自分のスト−マ径に合わせ挿入口径を指で広げ先端部をお腹に対して９０°立ち上げる事によりスト−マとの接触表面積を大きく取りスト−マ先端と排便袋との隙間を明けるガ−ドリング（２）を根っこに取付け面板に接着する事及び位置決めテ−プ（３）にて固定する事で排便洩れ対策が出来る構造からなる、本発明は、以上の構成よりなる排便洩れ防止装具である。
【発明の効果】
【０００５】排便洩れの道を塞ぐ事と排便圧がスト−マの根っこに集中しない様な構造にする事で、排便は時と場所を選ばずあるが、いかなる状況での排便も気にせず安心して日常生活を送る事が出来る。
【発明を実施するための最良の形態】
【０００６】以下、本発明を実施するための最良の形態について説明する。
面板のスト−マ挿入口に脱脂綿シ−ル（１）を設けるスト−マの大きさに合わせて挿入口の穴を指で広げる事で出来た余分の脱脂綿をお腹に対して９０°立ち上げる事によりスト−マと脱脂綿の接触長さが取れるので脱脂綿の繊維がスト−マの周上接触表面績に大きくからみ硬い排便の道を塞ぎ排便圧の歯止めになり抵抗をもたらす事が出来シ−ル性が高まる、そこで挿入後プラスチック性ガ−ドリング（２）を根っこに嵌め面板に接着する時に位置決めテ−プ（３）で少し締め加減の状態にしてスト−マの根っこの変形した形状を矯正すると共に固定する事で完全な位置決めにもなる、又ガ−ドリング（２）を取付ける事により排便圧の原因である排便袋がスト−マの出口に接触して壁になって出来た硬い排便は〔図３〕のＣ−断面の如く流れず排便袋にたい積するのと外周部は硬い層が出来て唯一排便はすべりの良いスト−マの表面に沿って根っこに直線的に流れ圧力が集中するので排便圧がスト−マの根っこにかからない様にスト−マ先端部が排便袋に接触しないように隙間を明けるのが最良であります〔図３〕のＤ−断面のようにやや矯正して市販面板とスト−マの隙間を塞ぐ〔図３〕のＢ−Ｂ矢視及びＣ−断面のごとく排便の圧力をお腹に直接受けない様にすると共に市販面板裏面に排便が侵入して面板とお腹の接着面を剥がさない様にする。それ以上の圧力がかかるとスト−マ出口に近い脱脂綿シ−ル（１）の先端の傾斜に沿って外に流れるので排便圧が分散されスト−マの根っこの方には今までの市販面板のように無防備に圧力を１００％ストレ−トにお腹に受けない構造にする。〔図３〕のＥ−断面は上記欠点を考慮した排便洩れ装具の説明図である。
【図面の簡単な説明】
【０００７】
【図１】  本発明の取付け状態の断面図及び正面図他詳細図である。
【図２】  本発明の製品の側面断面図、及び斜視図である。
【図３】  本発明の矢視図及び説明用図面である。
【符号の説明】
【０００８】  １    脱脂綿シ−ル
２    ガ−ドリング
３    位置決めテ−プ
【図１】
2014069061.tif 000003
【図２】
2014069061.tif 000004
【図３】
2014069061.tif 000005
【手続補正書】
【提出日】平成24年10月25日(2012.10.25)
【手続補正１】
【補正対象書類名】明細書
【補正対象項目名】０００６
【補正方法】変更
【補正の内容】
【０００６】以下、本発明を実施するための最良の形態について説明する。
面板のスト−マ挿入口に脱脂綿シ−ル（１）を設けるスト−マの大きさに合わせて挿入口の穴を指で広げる事で出来た余分の脱脂綿をお腹に対して９０°立ち上げる事によりスト−マと脱脂綿の接触長さが取れるので脱脂綿の繊維がストーマの周上接触表面積に大きくからみ硬い排便の道を塞ぎフイルタ−の役目を果たし排便圧の歯止めになり抵抗をもたらす事が出来シ−ル性が高まる、又、「図１」の中のＡ部詳細の”ａ”の部分の脱脂綿の外面を肌にやさしい市販面板と同等の接着剤を含浸させ出来る限り薄くプレス圧をかけて成形する事で下痢状態の排便も遮断できてお腹の面に当たる部分の肌保護にもなりいかなる排便も安心、そこで挿入後プラスチック性ガ−ドリング（２）を根っこに嵌め面板に接着する時に位置決めテ−プ（３）で少し締め加減の状態にしてスト−マの根っこの変形した形状を矯正すると共に固定する事で完全な位置決めにもなる、又ガ−ドリング（２）を取付ける事により排便圧が起きる原因である排便袋がスト−マの出口に接触して壁になって出来た硬い排便は「図３」のＣ−断面の如く流れず排便袋にたい積するのと外周部は硬い層が出来て唯一排便はすべりの良いスト−マの表面に沿って根っこに直線的に流れ圧力が集中するので排便圧がスト−マの根っこにかからない様にスト−マ先端部が排便袋に接触しないように最小限に隙間を明けるのが最良であります「図３」のＤ−断面のようにやや矯正して市販面板とストーマの隙間を塞ぐ「図３」のＢ−Ｂ矢視及びＣ−断面のごとく排便の圧力をお腹に直接受けない様にすると共に市販面板裏面に排便が侵入して面板とお腹の接着面を剥がさない様にする。それ以上の圧力がかかるとスト−マ出口に近い脱脂綿シ−ル（１）の先端の傾斜に沿って外に流れるので排便圧が分散されスト−マの根っこの方には今までの市販面板のように無防備に圧力を１００％ストレートにお腹に受けない構造にする。「図３」のＥ−断面は上記欠点を考慮した排便洩れ装具の説明図である。
【手続補正２】
【補正対象書類名】図面
【補正対象項目名】図１
【補正方法】変更
【補正の内容】
【図１】
2014069061.tif 000006
【手続補正３】
【補正対象書類名】図面
【補正対象項目名】図２
【補正方法】変更
【補正の内容】
【図２】
2014069061.tif 000007
【手続補正書】
【提出日】平成24年11月27日(2012.11.27)
【手続補正１】
【補正対象書類名】特許請求の範囲
【補正対象項目名】請求項１
【補正方法】変更
【補正の内容】
【請求項１】
スト−マ装具面板の挿入口にシリコンスポンジシ−ル（１）を設ける事、スト−マ先端と排便袋の接触面に隙間を明ける物を取付ける事、よってシ−ル性を高めようとする。構成によりなる排便洩れ防止装具である。
【手続補正２】
【補正対象書類名】明細書
【補正対象項目名】０００４
【補正方法】変更
【補正の内容】
【０００４】シリコンスポンジシ−ル（１）を自分のスト−マ径より少し小さめのものを選定して嵌めてお腹に接着した後に面板を挿入しお腹に接着する、輪ゴム（４）でスト−マの密着度を高め腸のぜん動運動に対応出来るようにしておき排便袋面板とスト−マの隙間を塞ぎプラスチック性ガ−ドリング（２）を根っこに取付け締め付け加減をして面板に接着する事と位置決めテ−プ（３）にて固定する事で排便洩れ対策が出来る、より安全に生活が出来る又、ガ−ドリング（２）は排便圧の原因である排便袋がスト−マの出口に接触して壁になって硬い排便がたい積するのを解消させる為に隙間を設けたものである、本発明は、以上の構成よりなる排便洩れ防止装具である。
【手続補正３】
【補正対象書類名】明細書
【補正対象項目名】０００６
【補正方法】変更
【補正の内容】
【０００６】以下、本発明を実施するための最良の形態について説明する。
シリコンスポンジシ−ル（１）を自分のスト−マ径より少し小さめのものを選定して嵌めてお腹に接着した後に面板を挿入しお腹に接着する、輪ゴム（４）を少し締め加減して嵌めてスト−マの密着度を高め腸のぜん動運動に対応出来るようにしておき（１）で排便袋面板とストーマの隙間を塞ぎ肌に優しいプラスチック性ガ−ドリング（２）を根っこに取付け締め付け加減をして面板に接着する事と位置決めテ−プ（３）にて固定する事で排便洩れ対策できる、たとえば腸の運動でスト−マが細くなった時に輪ゴムが動きを吸収して隙間をなくしてくれる逆に腸が便圧の高い時はスト−マが太くなるのでシリコンスポンジシ−ルのＡ部詳細の”ｂ”にハの字に力が働きシ−ル性が高まりより安全に近ずき理想の安全対策が出来る利点がある、ガードリング（２）でストーマの根っこの変形した形状を矯正すると共に隙間をなくし固定する事で硬い排便の道を塞ぎシールの役目を果たし排便圧の歯止めになり抵抗をもたらす事が出るのでシール性が高まる又、［図１］の中のＡ部詳細の”ａ”の太線部分のシリコンスポンジシールの外面を肌にやさしい軟質のシリコン液を塗布しお腹の面に当たる部分は面板と同等の肌に優しい接着剤を上塗りして外周部はプレス圧にて薄く仕上げる事で肌保護にもなり違和感なく取付けられて安心して生活できる、ガ−ドリング（２）を取付ける事により排便圧の原因でもある排便袋がスト−マ出口に接触して壁になって出来た硬い排便がたい積するので逃げ場がなくて便圧が上がり反力になり排便袋面板とスト−マの隙間に侵入する事を解消させるもので隙間を設けるのが最良と考え最初から隙間を設ける事で圧が上がらないように周囲に広がるようにしておきます。［図３］のＤ−断面のようにやや矯正して市販面板とスト−マの隙間を塞ぐ［図３］のＢ−Ｂ矢視及びＣ−断面のごとく排便の圧力をお腹に直接受けない様にすると共に市販面板裏面に排便が侵入して面板とお腹の接着面を剥がさない様にする。それ以上の圧力がかかるとストーマ出口に近いガードリング（２）の付け根の傾斜に沿って外に流れるので排便圧が分散されストーマの根っこの方には今までの市販面板のように無防備に圧力を１００％ストレーにお腹に受けない構造にする。［図３］のＥ−断面は上記欠点を考慮した排便洩れ装具の説明図である。
【手続補正４】
【補正対象書類名】明細書
【補正対象項目名】０００７
【補正方法】変更
【補正の内容】
【０００７】
【図１】本発明の取付け状態の断面図、及び詳細図である。
【図２】本発明の斜視図である
【図３】本発明の矢視図、断面図説明用図面である。
【手続補正５】
【補正対象書類名】明細書
【補正対象項目名】０００８
【補正方法】変更
【補正の内容】
【０００８】１  シリコンスポンジシール
２  ガードリング
３  位置決めテープ
４  輪ゴム
【手続補正７】
【補正対象書類名】図面
【補正対象項目名】全図
【補正方法】変更
【補正の内容】
【図１】
2014069061.tif 000008
【図２】
2014069061.tif 000009
【図３】
2014069061.tif 000010
【手続補正書】
【提出日】平成25年2月4日(2013.2.4)
【手続補正１】
【補正対象書類名】明細書
【補正対象項目名】０００６
【補正方法】変更
【補正の内容】
【０００６】以下、本発明を実施するための最良の形態について説明する。
シリコンスポンジシール（１）を自分のストーマ径より少し小さめのものを選定して嵌めてお腹に接着した後に面板を挿入しお腹に接着する、輪ゴム（４）を少し締め加減して嵌めてストーマの密着度を高め腸のぜん動運動に対応出来るようにしておき（１）で面板とストーマの隙間を塞ぎ肌に優しいプラスチック性ガードリング（２）を根っこに取付け締め付け加減をして面板に接着する事と位置決めテープ（３）にて固定する事で排便洩れ対策できる、たとえば腸の運動でストーマが細くなった時に輪ゴムが動きを吸収して隙間をなくしてくれる逆に腸が便圧の高い時はストーマが太くなるのでシリコンスポンジシールのＡ部詳細の”ｂ”にハの字に力が働き排便の侵入を防ぎシール性が高まりより安全に近ずき理想の安全対策が出来る利点がある、ガードリング（２）でストーマの根っこの変形した形状を矯正すると共に隙間をなくし固定する事で硬い排便の道を塞ぎシールの役目を果たし排便圧の歯止めになり抵抗をもたらす事が出来るのでシール性が高まる又、［図１］の中のＡ部詳細の”ａ”部の太線部分のシリコンスポンジシールの外面を肌にやさしい市販面板と同等の接着剤を塗布しお腹の面に当たる部分はプレス圧にて外周部は薄く仕上げておく事で違和感なく取付けられて安心できる、説明用図で［図３］のＢ−Ｂ矢視及びＣ−断面のごとく排便の圧力をお腹に直接受けない様にすると共に市販面板裏面に排便が侵入して面板とお腹の接着面を剥がさない様にする。圧力に歯止めをかける事でストーマ出口に近いシリコンスポンジシール（１）の先端部のガードリング（２）の傾斜に沿って外に流れるので排便圧が分散されストーマの根っこの方には今までの市販面板のように無防備に圧力を１００％ストレートにお腹に受けない構造にする［図３］のＥ−断面は上記欠点を考慮した排便洩れ装具の説明図である。
【手続補正２】
【補正対象書類名】図面
【補正対象項目名】全図
【補正方法】変更
【補正の内容】
【図１】
2014069061.tif 000011
【図２】
2014069061.tif 000012
【図３】
2014069061.tif 000013